(57)【要約】【課題】テレビ放送システム、デジタル映像放送システム、ハードディスク内蔵型テレビジョン受像機、及び映像再生装置において、広告を、適切な対象ユーザに対して効果的に表示させ、広告の効果を高める。【解決手段】サーバのＨＤＤには、暗号化された番組データと、この番組データを復号する復号鍵データと、複数種類の広告データとが記録されており、テレビのＨＤＤには、予め送信された番組データが記録されている。ユーザが番組を再生する指示を行うと、テレビからサーバに対し、番組データを復号するために必要な復号鍵データの要求がなされる（Ｓ５１）。サーバは、この復号鍵データの要求履歴を基に作成した（Ｓ５２）ユーザ情報を用いて、ユーザに対する各広告データの適合度を判定し（Ｓ５３）、適合度が高い広告データを、番組データと共にテレビに送信する（Ｓ５５）。【選択図】図９
2007306066.tif 000002
【特許請求の範囲】
【請求項１】
テレビジョン（以下、テレビという）番組のデータ（以下、番組データという）を記録可能なサーバと、ハードディスク内蔵型テレビジョン受像機とを含み、
前記サーバは、
前記番組データが記録された記録媒体と、
視聴率情報や各ユーザのユーザ情報に基づいて、前記記録媒体に記録された番組データの中から番組放送開始前に前記ハードディスク内蔵型テレビジョン受像機に送信する番組データを決定する番組データ決定手段と、
前記番組データの放送開始前におけるネットワークの負荷が少ない時間帯に、前記番組データ決定手段により決定された番組データを前記ハードディスク内蔵型テレビジョン受像機に送信する送信手段とを備え、
前記ハードディスク内蔵型テレビジョン受像機は、
前記サーバとネットワークを介して接続され、
前記サーバに対して、番組データ等の送受信を行うためのネットワークインタフェースと、
前記ネットワークインタフェースを介して受信した前記番組データ等を記録するハードディスクと、
前記番組データを再生する再生手段と、
前記再生手段から出力された映像信号に基づいて前記番組データの映像等を出力する映像表示手段と、
前記再生手段から出力された音声信号に基づいて前記番組データの音声等を出力する音声出力手段と、
装置各部を制御する制御手段とを備えたテレビ放送システムにおいて、
前記サーバの記録媒体は、
視聴するユーザを属性付けるための、それぞれの内容に応じて個別に重み付けがなされたユーザ属性付与情報が付与されている、複数種類の暗号化された番組データと、
この暗号化された番組データをそれぞれ復号する複数種類の復号鍵データと、
それぞれ想定される対象ユーザに関連付けたターゲット属性情報が付与されている複数種類の広告データとを記録しており、
前記ハードディスク内蔵型テレビジョン受像機は、
前記暗号化された番組データに対応する復号鍵データの要求を前記サーバに送信する復号鍵データ要求送信手段と、
前記暗号化された番組データを復号する復号鍵データを受信する復号鍵データ受信手段と、
前記復号鍵データを用いて、前記暗号化された番組データを復号する番組データ復号手段とをさらに備え、
前記サーバは、
前記ハードディスク内蔵型テレビジョン受像機から送信された復号鍵データの要求履歴に基づいて、ユーザがどの時間帯にどんな番組を視聴しているかという情報やユーザが番組を視聴している時間帯等の情報（以下、ユーザ情報という）を生成する生成手段と、
前記複数種類の広告データのそれぞれについて、その前記ターゲット属性情報及び前記ユーザ情報に基づいて、当該ユーザに対するその広告データの適合度を判定し、前記広告データのうち、当該ユーザに対する適合度が高いものを選択する広告選択手段とをさらに備え、
前記生成手段は、前記ユーザ情報を、過去の所定期間における前記ハードディスク内蔵型テレビジョン受像機からの前記復号鍵データの要求履歴を参照し、その復号鍵データに対応する各番組データのユーザ属性付与情報に基づいて、当該ハードディスク内蔵型テレビジョン受像機に関連付けて設定し、
前記送信手段は、前記広告選択手段により選択された広告データを、前記番組データの送信時に、前記ネットワークを介して送信し、
前記ハードディスク内蔵型テレビジョン受像機の制御手段は、
前記ネットワークインタフェースを介して、前記暗号化された番組データ及び広告データを受信したとき、この番組データ及び広告データを前記ハードディスクに記録し、
ユーザにより、前記ハードディスクに記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、受信した復号鍵データを用いて、前記番組データ復号手段により、前記暗号化された番組データを復号し、その後、前記再生手段により、復号した番組データを、前記広告データと共に再生することを特徴とするテレビ放送システム。
【請求項２】
デジタル映像データを記録された記録媒体を有するサーバと、このサーバとネットワークを介して接続された映像再生装置とを含み、
前記サーバは、
前記記録媒体に記録されたデジタル映像データのうち、前記映像装置に送信するデジタル映像データを所定の条件に基づいて決定する番組データ決定手段と、
前記番組データ決定手段により決定されたデジタル映像データを前記映像装置に送信する送信手段とを備え、
前記映像再生装置は、
前記サーバに対して、デジタル映像データの送受信を行うためのネットワークインタフェースと、
前記ネットワークインタフェースを介して受信した前記デジタル映像データを記録する記録手段と、
前記デジタル映像データを再生する再生手段と、
装置各部を制御する制御手段とを備えたデジタル映像放送システムにおいて、
前記サーバの記録媒体は、暗号化されたデジタル映像データと、この暗号化されたデジタル映像データを復号する復号鍵データと、複数種類の広告データとを記録しており、
前記映像再生装置は、
前記暗号化されたデジタル映像データに対応する復号鍵データの要求を前記サーバに送信する復号鍵データ要求送信手段と、
前記暗号化されたデジタル映像データを復号する復号鍵データを受信する復号鍵データ受信手段と、
前記復号鍵データを用いて、前記暗号化されたデジタル映像データを復号するデジタル映像データ復号手段とをさらに備え、
前記サーバは、ユーザがどの時間帯にどんなデジタル映像を視聴しているかという情報やユーザがデジタル映像を視聴している時間帯等の情報（以下、ユーザ情報という）に基づいて、前記複数種類の広告データから前記ユーザに適した広告データを選択する広告選択手段をさらに備え、
前記送信手段は、前記広告選択手段により選択された広告データを、前記映像再生装置に送信する機能を有しており、
前記映像再生装置の制御手段は、
前記暗号化されたデジタル映像データ及び前記広告選択手段により選択された広告データを受信したとき、このデジタル映像データ及び広告データを前記記録手段に記録し、
ユーザにより、前記記録手段に記録された、前記暗号化されたデジタル映像データを再生するよう指示されたとき、前記復号鍵データ要求送信手段を用いて、該暗号化されたデジタル映像データに対応する復号鍵データの要求を前記サーバに送信し、前記復号鍵データ受信手段を用いて、該暗号化されたデジタル映像データに対応する復号鍵データを受信し、この復号鍵データを用いて、前記デジタル映像データ復号手段により、前記暗号化されたデジタル映像データを復号した後、復号したデジタル映像データを、前記広告データと共に前記再生手段により再生することを特徴とするデジタル映像放送システム。
【請求項３】
前記サーバは、前記映像再生装置から送信された復号鍵データの要求履歴に基いて、前記ユーザ情報を生成する生成手段を有することを特徴とする請求項２に記載のデジタル映像放送システム。
【請求項４】
前記デジタル映像データには、視聴するユーザを属性付けるため、内容に応じて個別に重み付けがなされたユーザ属性付与情報が付与されており、
前記複数種類の広告データのそれぞれには、想定される対象ユーザに関連付けたターゲット属性情報が付与されており、
前記広告選択手段は、前記複数種類の広告データのそれぞれについて、その前記ターゲット属性情報及び前記ユーザ情報に基づいて、当該ユーザに対するその広告データの適合度を判定し、前記広告データのうち、当該ユーザに対する適合度が高いものを選択することを特徴とする請求項２又は請求項３に記載のデジタル映像放送システム。
【請求項５】
テレビジョン番組のデータ（以下、番組データという）が記録された記録媒体を有するサーバとネットワークを介して接続され、
前記サーバに対して、番組データ等の送受信を行うためのネットワークインタフェースと、
前記ネットワークインタフェースを介して受信した前記番組データ等を記録するハードディスクと、
前記番組データを再生する再生手段と、
前記再生手段から出力された映像信号に基づいて前記番組データの映像等を出力する映像表示手段と、
前記再生手段から出力された音声信号に基づいて前記番組データの音声等を出力する音声出力手段と、
装置各部を制御する制御手段とを備えたハードディスク内蔵型テレビジョン受像機において、
前記サーバの記録媒体は、
視聴するユーザを属性付けるための、それぞれの内容に応じて個別に重み付けがなされたユーザ属性付与情報が付与されている、複数種類の暗号化された番組データと、
この暗号化された番組データをそれぞれ復号する複数種類の復号鍵データと、
それぞれ想定される対象ユーザに関連付けたターゲット属性情報が付与されている複数種類の広告データとを記録しており、
前記ハードディスク内蔵型テレビジョン受像機は、
前記暗号化された番組データに対応する復号鍵データの要求を前記サーバに送信する復号鍵データ要求送信手段と、
前記暗号化された番組データを復号する復号鍵データを受信する復号鍵データ受信手段と、
前記復号鍵データを用いて、前記暗号化された番組データを復号する番組データ復号手段とをさらに備え、
前記サーバは、
前記ハードディスク内蔵型テレビジョン受像機から送信された復号鍵データの要求履歴に基づいて、ユーザがどの時間帯にどんな番組を視聴しているかという情報やユーザが番組を視聴している時間帯等の情報（以下、ユーザ情報という）を生成し、
前記複数種類の広告データのそれぞれについて、その前記ターゲット属性情報及び前記ユーザ情報に基づいて、当該ユーザに対するその広告データの適合度を判定し、当該ユーザに対する適合度が高い広告データを、前記番組データの送信時に、前記ネットワークを介して送信し、
前記ハードディスク内蔵型テレビジョン受像機の制御手段は、
前記ネットワークインタフェースを介して、前記暗号化された番組データ及び広告データを受信したとき、この番組データ及び広告データを前記ハードディスクに記録し、
ユーザにより、前記ハードディスクに記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、受信した復号鍵データを用いて、前記番組データ復号手段により、前記暗号化された番組データを復号し、その後、前記再生手段により、復号した番組データを、前記広告データと共に再生することを特徴とするハードディスク内蔵型テレビジョン受像機。
【請求項６】
デジタル映像データが記録された記録媒体を有するサーバとネットワークを介して接続され、
前記サーバに対して、デジタル映像データの送受信を行うためのネットワークインタフェースと、
前記ネットワークインタフェースを介して受信した前記デジタル映像データを記録する記録手段と、
前記デジタル映像データを再生する再生手段と、
装置各部を制御する制御手段とを備えた映像再生装置において、
前記サーバの記録媒体は、暗号化されたデジタル映像データと、この暗号化されたデジタル映像データを復号する復号鍵データと、複数種類の広告データとを記録しており、
前記映像再生装置は、
前記暗号化されたデジタル映像データに対応する復号鍵データの要求を前記サーバに送信する復号鍵データ要求送信手段と、
前記暗号化されたデジタル映像データを復号する復号鍵データを受信する復号鍵データ受信手段と、
前記復号鍵データを用いて、前記暗号化されたデジタル映像データを復号するデジタル映像データ復号手段とをさらに備え、
前記サーバは、ユーザがどの時間帯にどんなデジタル映像を視聴しているかという情報やユーザがデジタル映像を視聴している時間帯等の情報（以下、ユーザ情報という）に基づいて、前記複数種類の広告データから選択した広告データを、前記ネットワークを介して送信し、
前記映像再生装置の制御手段は、
前記暗号化されたデジタル映像データ、及び前記サーバにより前記ユーザ情報に基づき選択された広告データを受信したとき、このデジタル映像データ及び広告データを前記記録手段に記録し、
ユーザにより、前記記録手段に記録された、前記暗号化されたデジタル映像データを再生するよう指示されたとき、前記復号鍵データ要求送信手段を用いて、該暗号化されたデジタル映像データに対応する復号鍵データの要求を前記サーバに送信し、前記復号鍵データ受信手段を用いて、該暗号化されたデジタル映像データに対応する復号鍵データを受信し、この復号鍵データを用いて、前記デジタル映像データ復号手段により、前記暗号化されたデジタル映像データを復号した後、復号したデジタル映像データを、前記広告データと共に前記再生手段により再生することを特徴とする映像再生装置。
【発明の詳細な説明】
【技術分野】
【０００１】
本発明は、テレビ放送システム、デジタル映像放送システム、ハードディスク内蔵型テレビジョン受像機、及び映像再生装置に関し、特にデジタル映像データの保存・再生技術に関する。
【背景技術】
【０００２】
従来から、テレビジョン（以下、テレビという）番組のデータ（以下、番組データという）が記録されたサーバと、このサーバとインターネット等のネットワークを介して接続されたテレビとを含むテレビ放送システムが知られている。このテレビ放送システムとしては、例えば特許文献１に記載されているように、予め決められた時間帯に、サーバがテレビに番組データを送信し、テレビが受信した番組データを再生することにより、多数のユーザが、限られた時間帯に、同じテレビ番組を視聴することができるようにしたものが知られている。
【０００３】
ところで、このようなテレビ放送システムにおいては、番組データを無料又は低価格に視聴可能にするために、テレビ番組の提供者が、再生されるテレビ番組中に、映像等による広告（いわゆるテレビコマーシャルメッセージ）を表示することが多い。従来より、このようなテレビ番組中に表示する広告の効果を高めることが、この広告の広告主等から要求されている。この要求に応えるため、これまで、テレビ番組中の広告を、そのテレビ番組の内容に関連性があるものにする等の工夫がなされている。しかしながら、このように、テレビ番組の内容に関連性がある広告を当該テレビ番組を視聴するユーザに表示することは、その広告を、その広告の対象であるユーザに対してだけではなく、広告の対象外であるユーザに対しても表示することになる場合があり、広告の表示が効果的ではなくなることがある。すなわち、広告の対象となるユーザ個々に対してその広告を表示させることができないため、広告の効果を高めることができない。また、ユーザにとっても、自身のニーズに合わない広告を視聴しなければならず、広告が有益ではなくなってしまう。
【０００４】
なお、特許文献２には、予めプログラムをサーバからクライアントに送信しておき、所定の期日以後に、送信されたプログラムを利用可能にする方法が記載されている。しかしながら、特許文献２には、上述の問題点に対して有効な解決策は開示されていない。
【特許文献１】特開２００２−２０２９２７号公報
【特許文献２】特開２００４−７８８１３号公報
【発明の開示】
【発明が解決しようとする課題】
【０００５】
本発明は、上述の問題点を鑑みてなされたものであり、広告を、適切な対象ユーザに対して効果的に表示させることができ、広告の効果を高めることが可能なテレビ放送システム、デジタル映像放送システム、ハードディスク内蔵型テレビジョン受像機、及び映像再生装置を提供することを目的とする。
【課題を解決するための手段】
【０００６】
上記目的を達成するため請求項１の発明は、テレビジョン（以下、テレビという）番組のデータ（以下、番組データという）を記録可能なサーバと、ハードディスク内蔵型テレビジョン受像機とを含み、前記サーバは、前記番組データが記録された記録媒体と、視聴率情報や各ユーザのユーザ情報に基づいて、前記記録媒体に記録された番組データの中から番組放送開始前に前記ハードディスク内蔵型テレビジョン受像機に送信する番組データを決定する番組データ決定手段と、前記番組データの放送開始前におけるネットワークの負荷が少ない時間帯に、前記番組データ決定手段により決定された番組データを前記ハードディスク内蔵型テレビジョン受像機に送信する送信手段とを備え、前記ハードディスク内蔵型テレビジョン受像機は、前記サーバとネットワークを介して接続され、前記サーバに対して、番組データ等の送受信を行うためのネットワークインタフェースと、前記ネットワークインタフェースを介して受信した前記番組データ等を記録するハードディスクと、前記番組データを再生する再生手段と、前記再生手段から出力された映像信号に基づいて前記番組データの映像等を出力する映像表示手段と、前記再生手段から出力された音声信号に基づいて前記番組データの音声等を出力する音声出力手段と、装置各部を制御する制御手段とを備えたテレビ放送システムにおいて、前記サーバの記録媒体は、視聴するユーザを属性付けるための、それぞれの内容に応じて個別に重み付けがなされたユーザ属性付与情報が付与されている、複数種類の暗号化された番組データと、この暗号化された番組データをそれぞれ復号する複数種類の復号鍵データと、それぞれ想定される対象ユーザに関連付けたターゲット属性情報が付与されている複数種類の広告データとを記録しており、前記ハードディスク内蔵型テレビジョン受像機は、前記暗号化された番組データに対応する復号鍵データの要求を前記サーバに送信する復号鍵データ要求送信手段と、前記暗号化された番組データを復号する復号鍵データを受信する復号鍵データ受信手段と、前記復号鍵データを用いて、前記暗号化された番組データを復号する番組データ復号手段とをさらに備え、前記サーバは、前記ハードディスク内蔵型テレビジョン受像機から送信された復号鍵データの要求履歴に基づいて、ユーザがどの時間帯にどんな番組を視聴しているかという情報やユーザが番組を視聴している時間帯等の情報（以下、ユーザ情報という）を生成する生成手段と、前記複数種類の広告データのそれぞれについて、その前記ターゲット属性情報及び前記ユーザ情報に基づいて、当該ユーザに対するその広告データの適合度を判定し、前記広告データのうち、当該ユーザに対する適合度が高いものを選択する広告選択手段とをさらに備え、前記生成手段は、前記ユーザ情報を、過去の所定期間における前記ハードディスク内蔵型テレビジョン受像機からの前記復号鍵データの要求履歴を参照し、その復号鍵データに対応する各番組データのユーザ属性付与情報に基づいて、当該ハードディスク内蔵型テレビジョン受像機に関連付けて設定し、前記送信手段は、前記広告選択手段により選択された広告データを、前記番組データの送信時に、前記ネットワークを介して送信し、前記ハードディスク内蔵型テレビジョン受像機の制御手段は、前記ネットワークインタフェースを介して、前記暗号化された番組データ及び広告データを受信したとき、この番組データ及び広告データを前記ハードディスクに記録し、ユーザにより、前記ハードディスクに記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、受信した復号鍵データを用いて、前記番組データ復号手段により、前記暗号化された番組データを復号し、その後、前記再生手段により、復号した番組データを、前記広告データと共に再生するものである。
【０００７】
請求項２に記載の発明は、デジタル映像データを記録された記録媒体を有するサーバと、このサーバとネットワークを介して接続された映像再生装置とを含み、前記サーバは、前記記録媒体に記録されたデジタル映像データのうち、前記映像装置に送信するデジタル映像データを所定の条件に基づいて決定する番組データ決定手段と、前記番組データ決定手段により決定されたデジタル映像データを前記映像装置に送信する送信手段とを備え、前記映像再生装置は、前記サーバに対して、デジタル映像データの送受信を行うためのネットワークインタフェースと、前記ネットワークインタフェースを介して受信した前記デジタル映像データを記録する記録手段と、前記デジタル映像データを再生する再生手段と、装置各部を制御する制御手段とを備えたデジタル映像放送システムにおいて、前記サーバの記録媒体は、暗号化されたデジタル映像データと、この暗号化されたデジタル映像データを復号する復号鍵データと、複数種類の広告データとを記録しており、前記映像再生装置は、前記暗号化されたデジタル映像データに対応する復号鍵データの要求を前記サーバに送信する復号鍵データ要求送信手段と、前記暗号化されたデジタル映像データを復号する復号鍵データを受信する復号鍵データ受信手段と、前記復号鍵データを用いて、前記暗号化されたデジタル映像データを復号するデジタル映像データ復号手段とをさらに備え、前記サーバは、ユーザがどの時間帯にどんなデジタル映像を視聴しているかという情報やユーザがデジタル映像を視聴している時間帯等の情報（以下、ユーザ情報という）に基づいて、前記複数種類の広告データから前記ユーザに適した広告データを選択する広告選択手段をさらに備え、前記送信手段は、前記広告選択手段により選択された広告データを、前記映像再生装置に送信する機能を有しており、前記映像再生装置の制御手段は、前記暗号化されたデジタル映像データ及び前記広告選択手段により選択された広告データを受信したとき、このデジタル映像データ及び広告データを前記記録手段に記録し、ユーザにより、前記記録手段に記録された、前記暗号化されたデジタル映像データを再生するよう指示されたとき、前記復号鍵データ要求送信手段を用いて、該暗号化されたデジタル映像データに対応する復号鍵データの要求を前記サーバに送信し、前記復号鍵データ受信手段を用いて、該暗号化されたデジタル映像データに対応する復号鍵データを受信し、この復号鍵データを用いて、前記デジタル映像データ復号手段により、前記暗号化されたデジタル映像データを復号した後、復号したデジタル映像データを、前記広告データと共に前記再生手段により再生するものである。
【０００８】
請求項３に記載の発明は、請求項２の発明において、前記サーバは、前記映像再生装置から送信された復号鍵データの要求履歴に基いて、前記ユーザ情報を生成する生成手段を有するものである。
【０００９】
請求項４に記載の発明は、請求項２又は請求項３の発明において、前記デジタル映像データには、視聴するユーザを属性付けるため、内容に応じて個別に重み付けがなされたユーザ属性付与情報が付与されており、前記複数種類の広告データのそれぞれには、想定される対象ユーザに関連付けたターゲット属性情報が付与されており、前記広告選択手段は、前記複数種類の広告データのそれぞれについて、その前記ターゲット属性情報及び前記ユーザ情報に基づいて、当該ユーザに対するその広告データの適合度を判定し、前記広告データのうち、当該ユーザに対する適合度が高いものを選択するものである。
【００１０】
請求項５に記載の発明は、テレビジョン番組のデータ（以下、番組データという）が記録された記録媒体を有するサーバとネットワークを介して接続され、前記サーバに対して、番組データ等の送受信を行うためのネットワークインタフェースと、前記ネットワークインタフェースを介して受信した前記番組データ等を記録するハードディスクと、前記番組データを再生する再生手段と、前記再生手段から出力された映像信号に基づいて前記番組データの映像等を出力する映像表示手段と、前記再生手段から出力された音声信号に基づいて前記番組データの音声等を出力する音声出力手段と、装置各部を制御する制御手段とを備えたハードディスク内蔵型テレビジョン受像機において、前記サーバの記録媒体は、視聴するユーザを属性付けるための、それぞれの内容に応じて個別に重み付けがなされたユーザ属性付与情報が付与されている、複数種類の暗号化された番組データと、この暗号化された番組データをそれぞれ復号する複数種類の復号鍵データと、それぞれ想定される対象ユーザに関連付けたターゲット属性情報が付与されている複数種類の広告データとを記録しており、前記ハードディスク内蔵型テレビジョン受像機は、前記暗号化された番組データに対応する復号鍵データの要求を前記サーバに送信する復号鍵データ要求送信手段と、前記暗号化された番組データを復号する復号鍵データを受信する復号鍵データ受信手段と、前記復号鍵データを用いて、前記暗号化された番組データを復号する番組データ復号手段とをさらに備え、前記サーバは、前記ハードディスク内蔵型テレビジョン受像機から送信された復号鍵データの要求履歴に基づいて、ユーザがどの時間帯にどんな番組を視聴しているかという情報やユーザが番組を視聴している時間帯等の情報（以下、ユーザ情報という）を生成し、前記複数種類の広告データのそれぞれについて、その前記ターゲット属性情報及び前記ユーザ情報に基づいて、当該ユーザに対するその広告データの適合度を判定し、当該ユーザに対する適合度が高い広告データを、前記番組データの送信時に、前記ネットワークを介して送信し、前記ハードディスク内蔵型テレビジョン受像機の制御手段は、前記ネットワークインタフェースを介して、前記暗号化された番組データ及び広告データを受信したとき、この番組データ及び広告データを前記ハードディスクに記録し、ユーザにより、前記ハードディスクに記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、受信した復号鍵データを用いて、前記番組データ復号手段により、前記暗号化された番組データを復号し、その後、前記再生手段により、復号した番組データを、前記広告データと共に再生するものである。
【００１１】
請求項６に記載の発明は、デジタル映像データが記録された記録媒体を有するサーバとネットワークを介して接続され、前記サーバに対して、デジタル映像データの送受信を行うためのネットワークインタフェースと、前記ネットワークインタフェースを介して受信した前記デジタル映像データを記録する記録手段と、前記デジタル映像データを再生する再生手段と、装置各部を制御する制御手段とを備えた映像再生装置において、前記サーバの記録媒体は、暗号化されたデジタル映像データと、この暗号化されたデジタル映像データを復号する復号鍵データと、複数種類の広告データとを記録しており、前記映像再生装置は、前記暗号化されたデジタル映像データに対応する復号鍵データの要求を前記サーバに送信する復号鍵データ要求送信手段と、前記暗号化されたデジタル映像データを復号する復号鍵データを受信する復号鍵データ受信手段と、前記復号鍵データを用いて、前記暗号化されたデジタル映像データを復号するデジタル映像データ復号手段とをさらに備え、
前記サーバは、ユーザがどの時間帯にどんなデジタル映像を視聴しているかという情報やユーザがデジタル映像を視聴している時間帯等の情報（以下、ユーザ情報という）に基づいて、前記複数種類の広告データから選択した広告データを、前記ネットワークを介して送信し、前記映像再生装置の制御手段は、前記暗号化されたデジタル映像データ、及び前記サーバにより前記ユーザ情報に基づき選択された広告データを受信したとき、このデジタル映像データ及び広告データを前記記録手段に記録し、ユーザにより、前記記録手段に記録された、前記暗号化されたデジタル映像データを再生するよう指示されたとき、前記復号鍵データ要求送信手段を用いて、該暗号化されたデジタル映像データに対応する復号鍵データの要求を前記サーバに送信し、前記復号鍵データ受信手段を用いて、該暗号化されたデジタル映像データに対応する復号鍵データを受信し、この復号鍵データを用いて、前記デジタル映像データ復号手段により、前記暗号化されたデジタル映像データを復号した後、復号したデジタル映像データを、前記広告データと共に前記再生手段により再生するものである。
【発明の効果】
【００１２】
請求項１に記載の発明によれば、サーバの生成手段が、ユーザ側のハードディスク内蔵型テレビジョンからの復号鍵データの要求履歴に基づきそのユーザのユーザ情報を生成し、広告選択手段が、ユーザ情報とターゲット属性情報とに基づいて広告データを選択して送信するので、広告を、その広告の対象となる個々のユーザに対して表示させることが可能となる。このとき、ユーザ情報は、各番組データの内容に応じて個別に重み付けがなされたユーザ属性付与情報に基づいて生成され、送信される広告データとしては、ターゲット属性情報とユーザ情報に基づいて判定された、そのユーザに対する適合度が高いものが選択される。従って、ユーザに表示される広告は、そのユーザを対象にし、ユーザのニーズにも合ったものとなるので、その広告の効果を高めることが可能になる。また、ユーザ情報は、ハードディスク内蔵型テレビジョン受像機から送信された復号鍵データの要求履歴を参照してサーバの生成手段により生成されるので、ユーザ側からユーザ情報を送信しなくても、番組データの提供者がユーザ情報を得ることが可能になる。従って、ハードディスク内蔵型テレビジョンにユーザ情報を送信する構成は必要ではなく、ハードディスク内蔵型テレビジョンの製造コストを低減することができる。また、ユーザに複雑な操作等を要求したり、ユーザに特別に意識させることなく、そのユーザのユーザ情報を生成することが可能であるため、ユーザは、テレビ放送システムを、より便利に利用可能になる。
【００１３】
請求項２に記載の発明によれば、広告選択手段が、ユーザ情報に基づいて、複数種類の広告データからそのユーザに適した広告データを選択し、送信手段が、その広告データを映像再生装置に送信するので、上述と同様に、広告を、その広告の対象となる個々のユーザに対して効果的に表示させることが可能になる。従って、広告を、ユーザのニーズに合ったものにすることが可能になり、また、広告を、適切な対象ユーザに対して表示させることにより、広告の効果を高めることが可能になる。
【００１４】
請求項３に記載の発明によれば、ユーザ情報は、ユーザ側の映像再生装置から送信された復号鍵データの要求履歴に基づいて、サーバの生成手段により生成されるので、ユーザ側からユーザ情報を送信しなくても、デジタル映像データの提供者がユーザ情報を得ることが可能になる。従って、映像再生装置にユーザ情報を送信する構成は必要ではなく、映像再生装置の製造コストを低減することができる。また、ユーザに複雑な操作等を要求したり、ユーザに特別に意識させることなく、そのユーザのユーザ情報を生成することが可能であるため、ユーザは、テレビ放送システムを、より便利に利用可能になる。
【００１５】
請求項４に記載の発明によれば、ユーザ情報は、各デジタル映像データの内容に応じて個別に重み付けがなされたユーザ属性付与情報に基づいて生成され、送信される広告データとしては、ユーザ情報と、広告に付与されたターゲット属性情報に基づいて判定されたそのユーザに対する適合度が高いものが選択される。従って、ユーザに表示される広告が、そのユーザについて、より関連性が高く、ユーザのニーズに合ったものとなり、その広告の効果を確実に高めることが可能になる。
【００１６】
請求項５に記載の発明によれば、番組データを送信するサーバにより、ユーザ情報と各広告データのターゲット属性情報とに基づいて選択され送信された広告データを、制御手段が番組データと共に再生するので、個々のユーザに対し、そのユーザが対象となる広告を表示することが可能となる。このとき、ユーザ情報は、サーバにおいて、各番組データの内容に応じて個別に重み付けがなされたユーザ属性付与情報に基づいて生成され、送信される広告データとしては、ターゲット属性情報とユーザ情報に基づいて判定された、そのユーザに対する適合度が高いものが選択される。従って、ユーザに表示される広告は、ユーザのニーズにも合ったものとなるので、その広告の効果をさらに高めることが可能になる。また、ユーザ情報は、ユーザ側のハードディスク内蔵型テレビジョン受像機から送信された復号鍵データの要求履歴に基づいてサーバにて生成されるので、ユーザ側からユーザ情報を送信しなくても、番組データの提供者がユーザ情報を得ることが可能になる。従って、ハードディスク内蔵型テレビジョンにユーザ情報を送信する構成は必要ではなく、ハードディスク内蔵型テレビジョンの製造コストを低減することができる。また、ユーザに複雑な操作等を要求したり、ユーザに特別に意識させることなく、そのユーザのユーザ情報を生成することが可能であるため、ハードディスク内蔵型テレビジョン受像機が、より便利に利用可能なものになる。
【００１７】
請求項６に記載の発明によれば、サーバにより、ユーザ情報に基づいて複数種類の広告データから選択され送信された広告データを、制御手段がデジタル映像データと共に受信するので、上述と同様に、個々のユーザに対し、そのユーザが対象となる広告を表示することが可能となる。従って、広告を、ユーザのニーズに合ったものにすることが可能になり、また、適切な対象ユーザに対して表示させて広告の効果を高めることが可能になる。
【発明を実施するための最良の形態】
【００１８】
以下に、本発明の一実施形態に係るテレビジョン（以下、テレビという）放送システム、テレビ（請求項におけるハードディスク内蔵型テレビジョン受像機及び映像再生装置）、及びサーバについて、図１乃至図３を参照して説明する。図１は、ハードディスク内蔵型テレビジョン受像機１（以下、テレビという）とサーバ４とを含むテレビ放送システム（デジタル映像放送システム）の外観を示し、図２は、サーバ４の内部構造を示し、図３は、テレビ１の内部構造を示す。テレビ１とサーバ４とには、それぞれインターネット（ネットワーク）３に接続されたネットワークケーブル２が接続されており、テレビ１とサーバ４とは、相互にデータの送受信を行うネットワークを形成している。テレビ１は、再生ボタン５１等を有するリモコン５によって操作される。
【００１９】
図２に示すように、サーバ４は、テレビ番組のデータ（以下、番組データという；請求項における番組データ、及びデジタル映像データ）及び広告データが記録されたハードディスク４３（以下、ＨＤＤという；請求項に記載の記録媒体）と、テレビ１に対して、番組データ及び広告データ（以下、番組データ等という）の送受信を行うためのネットワークインタフェース４２と、番組データ等の送信等を制御する配信制御部４４と、配信制御部４４の動作プログラムを格納するＲＯＭ４１とを備えている。番組データは、ＨＤＤ４３に、ユーザにより無制限に視聴されたり複製されたりすることがないように暗号化された状態で、複数種類記録されている。広告データも、ＨＤＤ４３に、複数種類記録されている。また、ＨＤＤ４３には、複数種類の番組データのそれぞれについて、暗号化された番組データを復号するための復号鍵データがさらに記録されている。なお、この複数種類の番組データのそれぞれには、後述のように、視聴するユーザを属性付けるためのユーザ属性付与情報が付与されている。このユーザ属性付与情報は、そのテレビ番組の内容に応じてユーザの属性が特性付けられるような重み付けがなされているものである。また、複数種類の広告データのそれぞれには、その広告の想定される対象ユーザに関連付けたターゲット属性情報が付与されている。
【００２０】
配信制御部４４は、視聴率情報や、後述するような、各ユーザのユーザ情報（ユーザがどの時間帯にどんな番組を視聴しているかという情報や、ユーザが視聴している時間帯等の情報）に基づいて、番組放送開始前に、ＨＤＤ４３に記録されている複数種類の番組データの中からテレビ１に送信する番組データを決定する、番組データ決定手段として機能する。また、配信制御部４４は、後述のように、ＨＤＤ４３に記録されている複数種類の広告データの中からテレビ１に送信する広告データを選択する、広告選択手段として機能する。また、配信制御部４４は、番組データの放送開始前におけるネットワークの負荷が少ない時間帯に、番組データ決定手段により決定された番組データを、広告選択手段により選択された広告データと共にテレビ１に送信する送信手段として機能する。
【００２１】
図３に示すように、テレビ１は、サーバ４に対して番組データ等の送受信を行うためのネットワークインタフェース１６と、ネットワークインタフェース１６を介して受信した番組データ等を記録するＨＤＤ１４と、リモコン５から送信された信号を受光し、制御用マイコン１７へ出力するリモコン信号受信部１５と、装置各部を制御する制御用マイコン１７（制御手段）と、制御用マイコン１７の動作プログラムを格納するＲＯＭ１３とを備えている。また、テレビ１は、制御用マイコン１７から出力された映像信号に基づいて再生された番組データ等の映像等を出力するディスプレイ１１（映像表示手段）と、制御用マイコン１７から出力された、音声信号に基づいて再生された番組データ等の音声等を出力するスピーカ１２（音声出力手段）とをさらに備えている。
【００２２】
制御用マイコン１７は、番組データ等を再生する再生手段と、暗号化された番組データに対応する復号鍵データをサーバ４に要求すると共に、機器を操作したユーザのユーザ情報をサーバ４に送信する復号鍵データ要求送信手段と、後述するようにサーバ４から送信された復号鍵データを受信する復号鍵データ受信手段と、受信した復号鍵データを用いて暗号化された番組データを復号する番組データ復号手段として機能する。
【００２３】
次に、サーバ４が、暗号化された番組データと広告データとをテレビ１に送信し、テレビ１が、この番組データ等を受信した後、受信した番組データをＨＤＤ１４に記録する処理について、図４を参照して説明する。まず、テレビ１とサーバ４とが、回線状況確認処理を行い（Ｓ１）、サーバ４の配信制御部４４が、ＨＤＤ４３に記録された、暗号化された複数種類の番組データの中から、テレビ１に送信する番組データを決定し、テレビ１に送信する（Ｓ２）。このとき、配信制御部４４は、ＨＤＤ４３に記録された複数種類の広告データの中から、後述のようにテレビ１に送信する広告データを決定し、番組データと共にテレビ１に送信する。そして、テレビ１の制御用マイコン１７は、サーバ４から送信された番組データ等を受信した後（Ｓ３）、受信した番組データ等をＨＤＤ１４に記録する（Ｓ４）。なお、上記Ｓ１の処理についての詳細は後述する。また、上記Ｓ２において、サーバ４がテレビ１に送信する、暗号化された番組データは、各番組データの視聴率やユーザ情報に基づくユーザの嗜好に対応した番組データである。
【００２４】
上記Ｓ１の回線状況確認処理について、図５を参照して説明する。まず、テレビ１の制御用マイコン１７は、サーバ４にサンプルデータを送信する（Ｓ１１）。テレビ１から送信されたサンプルデータを受信した配信制御部４４は、サンプルデータの受信にかかった時間から、サンプルデータの転送速度を判断し（Ｓ１２）、転送速度が速い場合、ネットワークの負荷が少ないと判断し（Ｓ１３：ＹＥＳ）、回線状況確認処理を終了する。一方、転送速度が遅い場合、ネットワークの負荷が多いと判断し（Ｓ１３：ＮＯ）、テレビ１とサーバ４とは、所定の時間間隔（例えば１０秒）毎に、上述したＳ１１以降の処理を繰り返す。なお、上記Ｓ１１にて、テレビ１がサーバ４に送信するサンプルデータは、一定サイズのもの、又は、サンプルデータ内にそのデータサイズが記載されたものである。そのため、サーバ４は、サンプルデータのデータサイズと、テレビ１から送信されたサンプルデータを完全に受信するまでに要する時間とから、ネットワークの回線の転送速度を算出することができる。
【００２５】
ここで、上記Ｓ１の回線状況確認処理の変形例について、図６を参照して説明する。まず、テレビ１の制御用マイコン１７は、サーバ４にサンプルデータを送信する（Ｓ２１）。テレビ１から送信されたサンプルデータを受信した配信制御部４４は、サンプルデータの受信にかかった時間から、サンプルデータの転送速度を判断する（Ｓ２２）。転送速度が速い場合、ネットワークの負荷が少ないと判断し（Ｓ２３：ＹＥＳ）、回線状況確認処理を終了する。一方、上記Ｓ２２の判断の結果、転送速度が遅い場合、配信制御部４４は、ネットワークの負荷が多いと判断する（Ｓ２３：ＮＯ）。このとき、配信制御部４４は、テレビ１に送信する番組データ等について、番組データの再生時刻までの時間があるかどうか判断し（Ｓ２４）、番組データの再生時刻まで時間がない場合（Ｓ２５：ＮＯ）、回線状況確認処理を終了し、再生時刻までに番組データ等を受信するように構成されている。一方、上記Ｓ２４の判断の結果、番組データの再生時刻まで時間がある場合（Ｓ２５：ＹＥＳ）、テレビ１とサーバ４とは、所定の時間間隔（例えば１分）毎に、上述したＳ２１以降の処理を繰り返す。なお、上記Ｓ２４における、番組データの再生時刻まで時間があるかどうかの判断は、番組データ等のデータサイズ、ネットワーク負荷、及び視聴時間帯等の情報を任意に組み合わせることによって行うものである。また、サンプルデータは、例えば、上述した図５に示す回線状況確認処理におけるサンプルデータと同様のものである。このように、再生時刻まで時間がないときにはネットワークの負荷が多くても番組データを取得し、再生時刻に番組を視聴可能となるように構成されている。
【００２６】
次に、テレビ１が、ＨＤＤ１４に記録された、暗号化された番組データと、広告データとを再生するときに行う処理について、図７を参照して説明する。なお、ここでは、上述した図４に示した処理により、予め暗号化された番組データと、広告データとがＨＤＤ１４に記録されているものとする。
【００２７】
まず、ユーザにより、ＨＤＤ１４に記録された、暗号化された番組データを再生するように指示がなされると（Ｓ３１）、テレビ１の制御用マイコン１７は、サーバ４に対し、この暗号化された番組データに対応する復号鍵データを要求すると共に、サーバ４に、再生指示された番組名を含むユーザ情報を送信する（Ｓ３２）。サーバ４は、テレビ１からの復号鍵データの要求を受けると、その要求に応じて、テレビ１に復号鍵データを送信する。そして、制御用マイコン１７は、サーバ４から送信された、暗号化された番組データに対応する復号鍵データを受信し（Ｓ３３）、この復号鍵データを用いて暗号化された番組データを復号した後（Ｓ３４）、復号した番組データと広告データとを再生し（Ｓ３５）、処理を終了する。このとき、広告データは、例えば番組データの番組中に予め設定された広告表示位置において表示されるように構成されている。なお、サーバ４は、復号鍵データを、その番組データの再生時刻以降にならなければ送信しないように構成されている。これにより、番組を再生時刻より前に再生することはできないように構成されている。
【００２８】
上記のように、本実施形態に係るテレビ１とサーバ４とを含むテレビ放送システムによれば、サーバ１が、ネットワークの負荷が少ない時間帯に番組データ等をテレビ１に送信することができる。従って、ネットワークの負荷が少ないときに番組データ等を送ることができるので、ネットワークを効率良く使用することができる。
【００２９】
また、ユーザにより、ＨＤＤ１４に記録された、暗号化された番組データを再生するように指示されたとき、制御用マイコン１７が、暗号化された番組データに対応する復号鍵データの要求と、ユーザ情報とをサーバ４に送信する。従って、サーバ４にてユーザ情報を収集することができるので、番組データの提供者が、この番組を視聴しているユーザのユーザ情報を知ることができる。また、ユーザは、特別な操作を行うことなく（無意識、かつ簡単に）、ユーザ情報をサーバ４に送信することができる。このユーザ情報は、上記Ｓ２において、サーバ４からテレビ１に送信される番組データ等の決定に用いられる。
【００３０】
ここで、ユーザ情報がテレビ１からサーバ４に送信されるのではなく、サーバ４が、テレビ１から送信された復号鍵データの要求履歴に基づいて、そのテレビ１に番組データの再生指示を行ったユーザのユーザ情報を生成するように構成されていてもよい。このような構成では、テレビ１が、ＨＤＤ１４に記録された、暗号化された番組データを再生するときの処理が上述とは異なる。図８は、このとき行われる処理を示す。
【００３１】
図８に示すように、先ず、ユーザにより、ＨＤＤ１４に記録された、暗号化された番組データを再生するよう指示されると（Ｓ４１）、テレビ１の制御用マイコン１７は、サーバ４に対し、この暗号化された番組データに対応する復号鍵データを要求する（Ｓ４２）。そして、サーバ４の配信制御部４４は、テレビ１から送信された復号鍵データの要求履歴に基いて、後述するように、番組データを再生するように指示したユーザについてのユーザ情報を生成すると共に（Ｓ４３）、テレビ１に復号鍵データを送信する（Ｓ４４）。ユーザ情報の生成についての詳しい説明は、後述する。すなわち、この場合、配信制御部４４は、復号鍵データの要求履歴に基づいてユーザ情報を生成する生成手段として機能する。テレビ１の制御用マイコン１７は、サーバ４から暗号化された番組データに対応する復号鍵データを受信し（Ｓ４５）、この復号鍵データを用いて暗号化された番組データを復号した後（Ｓ４６）、復号した番組データを、広告データと共に再生し（Ｓ４７）、処理を終了する。このような構成においては、ユーザ情報がサーバ４において生成されるので、ユーザ側のテレビ１からユーザ情報を送信しなくても、番組データの提供者がユーザ情報を得ることが可能になる。従って、テレビ１にユーザ情報を送信する構成は必要ではなく、テレビ１の製造コストを低減することができる。
【００３２】
次に、図９乃至図１４を参照して、サーバ４の配信制御部４４による、ユーザ情報の生成処理及びテレビ１へ送信する広告データの選択処理の一例について説明する。ここでは、上述の図８に示すような処理を行う構成においての処理を説明するが、図４に示すような処理を行う構成においても、これと略同様である。図９は、ユーザ情報の生成処理と、その後に行われる広告データの選択処理の流れを示す。
【００３３】
ユーザ情報の生成処理は、上述のように、テレビ１の制御用マイコン１７から、番組データに対応する復号鍵データの要求がなされたときに行われる。すなわち、図９に示すように、復号鍵データの要求がなされると（Ｓ５１）、配信制御部４４は、その番組データに付与されているユーザ属性付与情報を用いて、それまでのユーザ情報を更新することにより、ユーザ情報を生成する（Ｓ５２）。このユーザ情報の更新は、テレビ１から送信された復号鍵データの要求履歴に基づいて行われる。以下に、このユーザ情報の生成処理について説明する。
【００３４】
図１０は、サーバ４のＨＤＤ４３に記録されている番組データについてのユーザ属性付与情報の一例を示す。図に示すように、本実施形態においては、ユーザ属性付与情報は、各番組データ毎に、例えば、性別カテゴリ、年代カテゴリ、興味カテゴリの３種類の属性について、そのテレビ番組を視聴するユーザを属性付けるために予めデータベースとして登録されている。性別カテゴリは、それぞれ、例えば、その番組に興味を示すのが男性であるか女性であるかについて、又はその番組が男性と女性のどちら向けのものであるかについて、その男女別の割合を、全体を１０として示したものである。例えば、図の番組ＩＤが１２である番組データについては、男性よりも女性が興味を示すであろう内容のものであるので、男性が２、女性が８として重み付けがなされて、性別カテゴリに登録されている。換言すると、このような重み付けがなされたユーザ属性付与情報を用いることにより、例えば、番組ＩＤが１２である番組データを視聴するユーザについて、性別に関して、女性である可能性が高いと属性付けることが可能となっている。この性別カテゴリと同様に、年代カテゴリは、例えば、そのテレビ番組が、どの年代が興味を示すようなものであるかについて、又はどの年代を対象としているものであるかについて登録されている。興味カテゴリは、そのテレビ番組の内容が、どのような分野に関するものであるかを示すものであって、例えば、所定の複数種類の分野群の中から、当該テレビ番組の内容を適切に示すものが２分野又は３分野程度選択されて登録されている。
【００３５】
図１１は、配信制御部４４により作成される、ユーザ毎のテレビ番組の視聴履歴情報のデータベースの一例を示す。この視聴履歴情報は、テレビ１から送信された復号鍵データの要求があったとき、そのテレビ１に関連付けて更新される。例えば、配信制御部４４は、復号鍵データの要求があったとき、その復号鍵データに対応する番組データについてのユーザ属性付与情報を図１０に示すデータベースから取得し、視聴日時（復号鍵データ要求日時）と共に、視聴履歴情報にレコードとして追加する。例えば、新たに、番組ＩＤが１４である番組データに関しての復号鍵データの要求があったときには、図１０に示すデータベースから番組ＩＤが１４で番組データに付与されているユーザ属性付与情報を取得する。そして、このユーザ属性付与情報を、視聴日時と共に、新たなレコードとして、図１１に示すように視聴履歴情報に追加する。なお、この視聴履歴情報のデータベースには、常に、例えば過去１ヶ月間等、視聴期間が所定の期間内であるレコードのみが保持されるように構成されている。これにより、この視聴履歴情報を用いて後述のように生成されるユーザ情報が、ユーザの現在の属性により近いものとなるように構成されている。
【００３６】
図１２は、ユーザ情報の一例を示す。視聴履歴情報が更新されると、配信制御部４４は、この視聴履歴情報を用いてユーザ情報を生成する。図に示すように、このユーザ情報は、ユーザ属性付与情報と同様に３種類の属性についてのものであり、それぞれの属性の内容は、例えば、図１１に示すような視聴履歴情報中の平均値を用いて設定される。例えば、性別カテゴリ、年代カテゴリについては、視聴履歴情報のそれぞれのユーザ属性付与情報の平均値がユーザ情報として設定される。また、興味カテゴリについては、各分野の、視聴履歴情報のレコード中に含まれる頻度を基に算出した指標が、ユーザ情報として設定される。このようにして生成されたユーザ情報は、ユーザが視聴した番組データに関して、そのテレビ番組の内容に応じて重み付けされたユーザ属性付与情報を元に生成されたものであるので、ユーザの性別、年代や嗜好等を特徴付けて示すものとなる。
【００３７】
配信制御部４４はユーザ情報を生成すると、ユーザ情報を利用して、ＨＤＤ４３に記録されている複数種類の広告データについて、ユーザに対する適合度を判定し（Ｓ５３）、ユーザに対する適合度の高い広告データを選択した上で（Ｓ５４）、この広告データに対応する番組データと共にテレビ１に送信する（Ｓ５５）。
【００３８】
広告データの適合度の判定は、それぞれの広告データについて付与されているターゲット属性情報と、ユーザ情報を用いて行われる。図１３は、ターゲット属性情報の一例を示す。本実施形態において、ターゲット属性情報は、ユーザ属性付与情報及びユーザ情報と同様に、３種類の属性について設定されている。これらの属性についての設定は、上述のユーザ属性付与情報と略同様に行われるものであり、その広告の内容や、想定される対象ユーザに関連付けて、予め個々の広告データについて設定されている。また、番組データ毎に広告主が異なることがあるため、ターゲット属性情報には、その広告データが表示されるべき、対象番組情報も含められている。すなわち、後述するように、広告データが、テレビ１に送信する広告データとして選択される際には、広告データと共に表示する番組データに、対象番組情報が合致することが前提とされている。例えば、図１３には、番組ＩＤが２２である番組データに対応する広告データとして選択対象となりうる広告データのターゲット属性情報を示している。
【００３９】
配信制御部４４は、図１３に示すような複数種類の広告データについて、それぞれのターゲット属性情報の、図１２に示すようなユーザ情報に対する適合度を判定する。この適合度は、例えば、ターゲット属性情報の３種類の属性毎に算出され、これを平均して求められる。すなわち、例えば、興味カテゴリにおいては、ターゲット属性情報として設定されている分野がユーザ情報において高い指標になっていれば、その分、適合度を高く設定する。なお、適合度の算出については、種々の方法を採ることが可能である。配信制御部４４は、このように適合度を算出した後、適合度が高いものから、対応する番組データに応じた所定数（例えば、２つ）の広告データを選択する（図１４の網掛け無し部分）。そして、配信制御部４４は、選択された広告データを、対応する番組データと共にテレビ１に送信する。
【００４０】
このように、配信制御部４４が、ユーザ情報とターゲット属性情報とに基づいて広告データを選択して送信するので、広告を、その広告の対象となる個々のユーザに対して表示させることが可能となる。このとき、ユーザ情報は、各番組データの内容に応じて個別に重み付けがなされたユーザ属性付与情報に基づいて生成され、送信される広告データとしては、ターゲット属性情報とユーザ情報に基づいて判定された、そのユーザに対する適合度が高いものが選択される。従って、ユーザに表示される広告は、そのユーザを対象にし、ユーザのニーズにも合ったものとなるので、その広告の効果を高めることが可能になる。また、ユーザに複雑な操作等を要求したり、ユーザに特別に意識させることなく、そのユーザのユーザ情報を生成することが可能であるため、ユーザは、テレビ放送システムを、より便利に利用可能になる。
【００４１】
なお、本発明は、上記各実施形態の構成に限られず、発明の趣旨を変更しない範囲で種々の変形が可能である。例えば、上述のユーザ属性付与情報、ユーザ情報、ユーザ情報の生成手順、ターゲット属性情報等は、全て例示であり、他の構成によるものであってもよい。また、広告データの選択は、ターゲット属性情報を用いて行うものでなくてもよい。さらにまた、上述のテレビは、ハードディスク内蔵型のものに限られず、ＤＶＤレコーダ内蔵型のテレビであってもよい。また、サーバからテレビに送信されるデータは、テレビジョン番組の番組データに限られるものではなく、種々のデジタル映像データであればよい。このような場合であっても、サーバが、上述のようにユーザ情報に基づいて広告データを選択して送信し、その広告データがテレビに表示されることにより、ユーザに対し、そのユーザが対象となる広告を効果的に表示させることが可能となり、広告の効果を高めることが可能になる。
【００４２】
さらにまた、例えば、テレビが、ユーザ切替機能を有しているものであって、一台のテレビを複数のユーザで使用する場合に、その時点で操作しているユーザを識別可能な情報をサーバに送信可能に構成し、サーバが、各ユーザ毎に、ユーザ情報を作成し、各ユーザ毎に広告を選択して送信可能に構成されていてもよい。これにより、家族のような複数のユーザで一台のテレビを利用する場合であっても、広告を、各ユーザに対し効果的に表示させることが可能となり、広告の効果を高めることが可能になる。
【図面の簡単な説明】
【００４３】
【図１】本発明の一実施形態に係るテレビとサーバとを含むテレビ放送システムの外観を示す斜視図。
【図２】上記サーバの内部構成を示すブロック図。
【図３】上記テレビの内部構成を示すブロック図。
【図４】上記テレビのＨＤＤへの番組データ記録時の処理を示すフローチャート。
【図５】上記テレビ放送システムにおけるネットワークの回線状況確認処理を示すフローチャート。
【図６】上記回線状況確認処理の変形例を示すフローチャート。
【図７】上記テレビのＨＤＤに記録された番組データの再生時の処理を示すフローチャート。
【図８】上記テレビのＨＤＤに記録された番組データの再生時の処理の変形例を示すフローチャート。
【図９】上記サーバが行うユーザ情報の生成処理と広告データの選択処理とを示すフローチャート。
【図１０】上記サーバに記録されている番組データのユーザ属性付与情報を示すテーブル。
【図１１】上記サーバの視聴履歴情報を示すテーブル。
【図１２】上記サーバにおいて生成されるユーザ情報を示すテーブル。
【図１３】上記サーバに記録されている広告データのターゲット属性情報を示すテーブル。
【図１４】上記サーバにおいて選択された広告データを示すテーブル。
【符号の説明】
【００４４】
１  テレビ（ハードディスク内蔵型テレビジョン受像機、映像再生装置）
４  サーバ
１１  ディスプレイ（映像表示手段）
１２  スピーカ（音声出力手段）
１４  ＨＤＤ（記録手段）
１６  ネットワークインタフェース（復号鍵データ要求送信手段、復号鍵データ受信手段）
１７  制御用マイコン（制御手段、再生手段、復号鍵データ要求送信手段、復号鍵データ受信手段、番組データ復号手段）
４２  ネットワークインタフェース（送信手段）
４３  ＨＤＤ（記録媒体）
４４  配信制御部（番組データ決定手段、送信手段、生成手段、広告選択手段）
【図１】
2007306066.tif 000003
【図２】
2007306066.tif 000004
【図３】
2007306066.tif 000005
【図４】
2007306066.tif 000006
【図５】
2007306066.tif 000007
【図６】
2007306066.tif 000008
【図７】
2007306066.tif 000009
【図８】
2007306066.tif 000010
【図９】
2007306066.tif 000011
【図１０】
2007306066.tif 000012
【図１１】
2007306066.tif 000013
【図１２】
2007306066.tif 000014
【図１３】
2007306066.tif 000015
【図１４】
2007306066.tif 000016